(57)【要約】【課題】簡易な構造でシール性と挿入性とを向上することができるゴム栓を提供する。【解決手段】電線が挿通され内周面が電線の外周面に密着する電線挿通部３と、この電線挿通部３の外周に設けられ外周面が孔部５の内周面に密着するリップ部７とを備えたゴム栓１において、電線挿通部３とリップ部７との間に、電線挿通部３の外周とリップ部７の内周とを離間させ、孔部５に連通された空間部９を設けた。【選択図】図２
2016058336.tif 000002
【特許請求の範囲】
【請求項１】
電線が挿通され内周面が前記電線の外周面に密着する電線挿通部と、この電線挿通部の外周に設けられ外周面が孔部の内周面に密着するリップ部とを備えたゴム栓であって、
前記電線挿通部と前記リップ部との間には、前記電線挿通部の外周と前記リップ部の内周とを離間させ、前記孔部に連通された空間部が設けられていることを特徴とするゴム栓。
【請求項２】
請求項１記載のゴム栓であって、
前記空間部は、前記電線挿通部と前記リップ部との周方向の全域に設けられていることを特徴とするゴム栓。
【発明の詳細な説明】
【技術分野】
【０００１】
本発明は、ゴム栓に関する。詳細には、孔部とこの孔部に挿通される電線との間を防水するゴム栓に関する。
【背景技術】
【０００２】
従来、ゴム栓としては、電線が挿通され内周面が電線の外周面に密着する電線挿通部としての電線嵌合孔と、この電線嵌合孔の外周に設けられ外周面が孔部としての挿入孔の内周面に密着するリップ部としてのシール部とを備えたものが知られている（例えば、特許文献１参照）。
【０００３】
このゴム栓では、挿入孔の内径と、電線の外径と、シール部の外径と、電線嵌合孔の内径とから算出される潰し率と潰し量とを設定することにより、挿入孔と電線との間の良好なシール性と挿入孔への良好な挿入性を得ている。
【先行技術文献】
【特許文献】
【０００４】
【特許文献１】特開２００３−２７２７５８号公報
【発明の概要】
【発明が解決しようとする課題】
【０００５】
しかしながら、上記特許文献１のようなゴム栓では、複数箇所の内径や外径から算出される潰し率と潰し量とを設定するので、設定が複雑であった。加えて、熱などの環境変化によるゴム栓の永久変形によって設定が異なることがあり、シール性が低下してしまう恐れがあった。
【０００６】
そこで、この発明は、簡易な構造でシール性と挿入性とを向上することができるゴム栓の提供を目的としている。
【課題を解決するための手段】
【０００７】
請求項１記載の発明は、電線が挿通され内周面が前記電線の外周面に密着する電線挿通部と、この電線挿通部の外周に設けられ外周面が孔部の内周面に密着するリップ部とを備えたゴム栓であって、前記電線挿通部と前記リップ部との間には、前記電線挿通部の外周と前記リップ部の内周とを離間させ、前記孔部に連通された空間部が設けられていることを特徴とする。
【０００８】
このゴム栓では、電線挿通部とリップ部との間に、電線挿通部の外周とリップ部の内周とを離間させ、孔部に連通された空間部が設けられているので、孔部から空間部に圧力がかかった場合、リップ部の孔部に対する密着力と電線挿通部の電線に対する密着力とが増し、孔部と電線との間のシール性を向上することができる。
【０００９】
また、空間部は、ゴム栓の孔部への挿入時に、リップ部を撓ませ易くするので、ゴム栓の孔部に対する挿入力を低減することができ、ゴム栓の孔部への挿入性を向上することができる。
【００１０】
従って、このようなゴム栓では、簡易な構造でシール性と挿入性とを向上することができる。
【００１１】
請求項２記載の発明は、請求項１記載のゴム栓であって、前記空間部は、前記電線挿通部と前記リップ部との周方向の全域に設けられていることを特徴とする。
【００１２】
このゴム栓では、空間部が、電線挿通部とリップ部との周方向の全域に設けられているので、ゴム栓の周方向の全域で孔部と電線とに対する密着力を均一に増加することができると共に、リップ部を周方向の全域で撓ませ易くすることができ、ゴム栓の周方向の全域で孔部に対する挿入力を均一に低減することができる。
【発明の効果】
【００１３】
本発明によれば、簡易な構造でシール性と挿入性とを向上することができるゴム栓を提供することができるという効果を奏する。
【図面の簡単な説明】
【００１４】
【図１】本発明の実施の形態に係るゴム栓の斜視図である。
【図２】本発明の実施の形態に係るゴム栓の断面図である。
【発明を実施するための形態】
【００１５】
図１，図２を用いて本発明の実施の形態に係るゴム栓について説明する。
【００１６】
本実施の形態に係るゴム栓１は、電線（不図示）が挿通され内周面が電線の外周面に密着する電線挿通部３と、この電線挿通部３の外周に設けられ外周面が孔部５の内周面に密着するリップ部７とを備えている。
【００１７】
そして、電線挿通部３とリップ部７との間には、電線挿通部３の外周とリップ部７の内周とを離間させ、孔部５に連通された空間部９が設けられている。
【００１８】
また、空間部９は、電線挿通部３とリップ部７との周方向の全域に設けられている。
【００１９】
ここで、図２に示すように、本実施の形態に係るゴム栓１は、例えば、電源や機器などに接続され端末部に端子（不図示）が設けられた電線（不図示）が電線挿通部３に挿通された状態で、端子を収容可能なハウジング１１に設けられた孔部５に挿入される。
【００２０】
このゴム栓１が孔部５に挿入された状態では、電線挿通部３の内周面が電線の外周面に密着し、電線挿通部３の外周に設けられた複数のリップ部７の外周面が孔部５の内周面に密着し、ハウジング１１の内部を防水する。以下、図１，図２を用いてゴム栓１について詳細に説明する。
【００２１】
図１，図２に示すように、ゴム栓１は、絶縁性の合成ゴムなどの弾性材料からなり、円筒状の本体部１３に電線挿通部３と、複数のリップ部７と、空間部９とが設けられている。
【００２２】
電線挿通部３は、本体部１３の中央部に本体部１３を長さ方向に貫通して設けられている。この電線挿通部３は、電線の端末部に端子が接続される前の状態で、内周面が電線の外周面に密着して組付けられる。
【００２３】
なお、本体部１３には、電線の端末部に設けられる端子に加締めなどによって固定される固定部１５が設けられている。このような電線挿通部３の外周側には、複数のリップ部７が設けられている。
【００２４】
複数のリップ部７は、本体部１３の外周にゴム栓１の長さ方向に所定の間隔をもって、ゴム栓１の周方向に連続する突条となるようにゴム栓１の長さ方向に複数列（ここでは２列）設けられている。なお、図２の左側に位置する本体部１３の外径をリップ部７の外径と同等に設定し、この部分をリップ部７として機能させてもよい。
【００２５】
この複数のリップ部７は、外径が孔部５の内径より僅かに大きく設定されており、端子をハウジング１１内に収容させる際に、孔部５に挿入され、端子をハウジング１１に保持させると、外周面が孔部５の内周面に密着して配置される。
【００２６】
このような複数のリップ部７のうち少なくとも１つのリップ部７（ここでは図２の左側に位置するリップ部７）と電線挿通部３との径方向間には、空間部９が設けられている。
【００２７】
空間部９は、本体部１３の電線挿通部３とリップ部７との径方向間に設けられ、電線挿通部３の外周とリップ部７の内周とを離間させるように形成された孔となっており、ゴム栓１の長さ方向の一端側が孔部５と連通するように開口されている。また、空間部９は、電線挿通部３の外周とリップ部７の内周との周方向の全域に設けられている。
【００２８】
この空間部９は、ゴム栓１を孔部５に挿入する場合、リップ部７を撓ませ易くさせ、ゴム栓１の孔部５に対する挿入力を低減させる。
【００２９】
このとき、空間部９は、ゴム栓１の周方向の全域に設けられているので、リップ部７を周方向の全域で撓ませ易くすることができ、ゴム栓１の周方向の全域で孔部５に対する挿入力を均一に低減することができる。
【００３０】
一方、空間部９は、ゴム栓１が孔部５に挿入されている場合、孔部５に連通されているので、孔部５から空間部９に圧力がかかった場合に、リップ部７の孔部５に対する密着力と電線挿通部３の電線に対する密着力とを増加させる。
【００３１】
このとき、空間部９は、ゴム栓１の周方向の全域に設けられているので、ゴム栓１の周方向の全域で孔部５と電線とに対する密着力を均一に増加することができる。
【００３２】
このようなゴム栓１では、電線挿通部３とリップ部７との間に、電線挿通部３の外周とリップ部７の内周とを離間させ、孔部５に連通された空間部９が設けられているので、孔部５から空間部９に圧力がかかった場合、リップ部７の孔部５に対する密着力と電線挿通部３の電線に対する密着力とが増し、孔部５と電線との間のシール性を向上することができる。
【００３３】
また、空間部９は、ゴム栓１の孔部５への挿入時に、リップ部７を撓ませ易くするので、ゴム栓１の孔部５に対する挿入力を低減することができ、ゴム栓１の孔部５への挿入性を向上することができる。
【００３４】
従って、このようなゴム栓１では、簡易な構造でシール性と挿入性とを向上することができる。
【００３５】
また、空間部９は、電線挿通部３とリップ部７との周方向の全域に設けられているので、ゴム栓１の周方向の全域で孔部５と電線とに対する密着力を均一に増加することができると共に、リップ部７を周方向の全域で撓ませ易くすることができ、ゴム栓１の周方向の全域で孔部５に対する挿入力を均一に低減することができる。
【００３６】
なお、本発明の実施の形態に係るゴム栓では、孔部がハウジングに設けられた構成となっているが、これに限らず、例えば、孔部がパネルなどの部材に設けられている場合など、孔部とこの孔部を挿通する電線との間にゴム栓が密着して配置される構成であれば、本発明の構成を適用することができる。
【００３７】
また、空間部は、複数のリップ部のうち少なくとも１つのリップ部の内周側に設けられているが、これに限らず、全てのリップ部の内周側に設けてもよい。
【符号の説明】
【００３８】
１…ゴム栓
３…電線挿通部
５…孔部
７…リップ部
９…空間部
【図１】
2016058336.tif 000003
【図２】
2016058336.tif 000004